(57)【要約】【課題】画像データの出力ページ内にユーザが意図する任意の文字列を付加して付加価値が高く、表現力に富んだ出力結果を得ることである。【解決手段】スキャナ２０８から読み込まれる原稿の画像データに対して合成すべき付加情報が操作部を介して指定されると、該指定に基づいてＣＰＵ２０１がメモリ２０２上に生成し、該生成される任意の付加情報と画像データとをメモリ２０２上で合成してプリンタ２０６より画像出力する構成を特徴とする。【選択図】図２
2006114971.tif 000002
【特許請求の範囲】
【請求項１】
原稿読取り手段により読み取られる画像データを記録媒体に出力する画像処理装置であって、
前記画像データと共に前記記録媒体上に画像出力する付加情報に対して任意の書式を指定する指定手段と、
前記指定手段により指定される任意の書式に従って前記画像データに付加する付加出力情報を生成する生成手段と、
前記生成手段により生成される付加出力情報と前記画像データとを前記任意の書式に従って合成して画像出力する画像出力手段と、
を有することを特徴とする画像処理装置。
【請求項２】
前記付加情報は、ページ情報、文字列、またはこれらの組み合わせを含むことを特徴とする請求項１記載の画像処理装置。
【請求項３】
前記付加情報に対する任意の書式は、前記付加情報の出力位置、前記付加情報のサイズ、前記付加情報の出力態様等を含むことを特徴とする請求項１記載の画像処理装置。
【請求項４】
前記指定手段は、前記付加情報の出力態様としてページ情報の出力桁数を任意桁数で指定可能とすることを特徴とする請求項１記載の画像処理装置。
【請求項５】
前記生成手段は、出力する画像データのページ数が指定された桁数に満たない場合に、有効ページ数で未使用となる桁に０を自動挿入して付加情報を生成することを特徴とする請求項１記載の画像処理装置。
【請求項６】
前記読取り手段から読み取られる画像データのページ数が、前記指定手段により指定された桁数より多い場合に、桁数の再設定を促すユーザインタフェースを操作部に表示する表示制御手段を有することを特徴とする請求項１記載の画像処理装置。
【請求項７】
前記文字列は、章情報を含むことを特徴とする請求項１記載の画像処理装置。
【請求項８】
前記文字列は、前記画像データの読み込み毎に設定可能とすることを特徴とする請求項１記載の画像処理装置。
【請求項９】
原稿読取り手段により読み取られる画像データを記録媒体に出力する画像処理装置における画像処理方法であって、
前記画像データと共に前記記録媒体上に画像出力する付加情報に対して任意の書式を指定する指定ステップと、
前記指定ステップにより指定される任意の書式に従って前記画像データに付加する付加出力情報を生成する生成ステップと、
前記生成ステップにより生成される付加出力情報と前記画像データとを前記任意の書式に従って合成して画像出力する画像出力ステップと、
を有することを特徴とする画像処理方法。
【請求項１０】
前記付加情報は、ページ情報、文字列、またはこれらの組み合わせを含むことを特徴とする請求項９記載の画像処理方法。
【請求項１１】
前記付加情報に対する任意の書式は、前記付加情報の出力位置、前記付加情報のサイズ、前記付加情報の出力態様等を含むことを特徴とする請求項９記載の画像処理方法。
【請求項１２】
前記指定ステップは、前記付加情報の出力態様としてページ情報の出力桁数を任意桁数で指定可能とすることを特徴とする請求項９記載の画像処理方法。
【請求項１３】
前記生成ステップは、出力する画像データのページ数が指定された桁数に満たない場合に、有効ページ数で未使用となる桁に０を自動挿入して付加情報を生成することを特徴とする請求項９記載の画像処理方法。
【請求項１４】
前記読取り手段から読み取られる画像データのページ数が、前記指定手段により指定された桁数より多い場合に、桁数の再設定を促すユーザインタフェースを操作部に表示する表示制御ステップを有することを特徴とする請求項９記載の画像処理方法。
【請求項１５】
前記文字列は、章情報を含むことを特徴とする請求項９記載の画像処理方法。
【請求項１６】
前記文字列は、前記画像データの読み込み毎に設定可能とすることを特徴とする請求項９記載の画像処理方法。
【請求項１７】
請求項９〜１６のいずれかに記載の画像処理方法を実行させるためのプログラムを格納したことを特徴とするコンピュータが読み取り可能な記憶媒体。
【請求項１８】
請求項９〜１６のいずれかに記載の画像処理方法を実行させることを特徴とするプログラム。
【請求項１９】
原稿画像データと共に、第1タイプの付加情報、及び／又は、第２タイプの付加情報を、含んだデータを、生成可能な画像形成装置であって、
操作部から受付けたユーザからの指示に基づき、第1タイプの付加情報、及び／又は、第２タイプの付加情報の処理を制御することを特徴とする画像形成装置。
【請求項２０】
原稿画像データと共に、第1タイプの付加情報、及び／又は、第２タイプの付加情報を、含んだデータを、生成可能なデータ処理方法であって、
ユーザからの指示に基づき、第1タイプの付加情報、及び／又は、第２タイプの付加情報の処理を制御することを特徴とするデータ処理方法。
【請求項２１】
前記指示は画像形成装置の操作部、及び、該画像形成装置にデータ送信可能な外部装置の操作部を介して入力可能にすることを特徴とする請求項２１記載のデータ処理方法。
【請求項２２】
請求項２０，２１のいずれかに記載の方法を実行させることを特徴とするプログラム。
【発明の詳細な説明】
【技術分野】
【０００１】
本発明は、読み込まれる画像情報と生成される付加情報とを合成して画像出力可能な画像処理装置および画像処理方法およびコンピュータが読み取り可能なプログラムを格納した記憶媒体およびプログラムに関するものである。
【背景技術】
【０００２】
近年、スキャナとプリンタとを備えるデジタル複合機において、デジタル画像処理により、読み込まれる原稿画像に存在しないページ番号や日付等の付加情報を出力画像に追加する、いわゆるスタンプ機能を備えたものがある。
【０００３】
また、単に付加情報を画像データに追加するだけではなく、追加する位置等をオプション接続されるデジタイザ等の座標情報入力デバイス、あるいは操作部からの数値入力で自由に設定し出力するレイアウト機能も備えたものもある。
【特許文献１】特開２００１−２７４９７７号公報
【発明の開示】
【発明が解決しようとする課題】
【０００４】
しかしながら、現在提供されているページ印字機能は単純に「-1-,-2-」のようにページ数を印字するだけであり、その付加情報の出力態様が固定化されているため、付加された情報に説得力が欠いており、その出力態様をユーザ自身がカスタマイズできないという課題があった。
【０００５】
さらに、オリジナルの文字列と上記ページ情報との付加情報とを組み合わせることができないため、付加情報出力機能が有効に利用される機会が極めて少ないという課題も指摘されていた。
【０００６】
そこで、付加情報出力機能の更なる拡張が望ましい。好ましくは、単に機能拡張するだけに留まらず、ユーザの操作性をも向上させることが望ましい。
【０００７】
本発明は、上記の課題を解決するためになされたもので、本発明の目的は、読み込まれる原稿の画像データに対して合成すべき付加情報をユーザからの指定に基づいて生成し、該生成される任意の付加情報と画像データとを合成して画像出力することにより、画像データの出力ページ内にユーザが意図する任意の文字列を付加して付加価値が高く、表現力に富んだ出力結果を得ることができる画像処理装置および画像処理方法および画像形成装置およびデータ処理方法およびコンピュータが読み取り可能なプログラムを格納した記憶媒体およびプログラムを提供することである。
【課題を解決するための手段】
【０００８】
上記目的を達成する本発明の画像処理装置は以下に示す構成を備える。
【０００９】
原稿読取り手段により読み取られる画像データを記録媒体に出力する画像処理装置であって、前記画像データと共に前記記録媒体上に画像出力する付加情報に対して任意の書式を指定する指定手段と、前記指定手段により指定される任意の書式に従って前記画像データに付加する付加出力情報を生成する生成手段と、前記生成手段により生成される付加出力情報と前記画像データとを前記任意の書式に従って合成して画像出力する画像出力手段とを有することを特徴とする。
【００１０】
上記目的を達成する本発明の画像処理方法は以下に示す構成を備える。
【００１１】
原稿読取り手段により読み取られる画像データを記録媒体に出力する画像処理装置における画像処理方法であって、前記画像データと共に前記記録媒体上に画像出力する付加情報に対して任意の書式を指定する指定ステップと、前記指定ステップにより指定される任意の書式に従って前記画像データに付加する付加出力情報を生成する生成ステップと、前記生成ステップにより生成される付加出力情報と前記画像データとを前記任意の書式に従って合成して画像出力する画像出力ステップとを有することを特徴とする。
【００１２】
上記目的を達成する本発明の画像形成装置は以下に示す構成を備える。
【００１３】
原稿画像データと共に、第1タイプの付加情報、及び／又は、第２タイプの付加情報を、含んだデータを、生成可能な画像形成装置であって、操作部から受付けたユーザからの指示に基づき、第1タイプの付加情報、及び／又は、第２タイプの付加情報の処理を制御することを特徴とする。
【００１４】
上記目的を達成する本発明のデータ処理方法は以下に示す構成を備える。
【００１５】
原稿画像データと共に、第1タイプの付加情報、及び／又は、第２タイプの付加情報を、含んだデータを、生成可能なデータ処理方法であって、ユーザからの指示に基づき、第1タイプの付加情報、及び／又は、第２タイプの付加情報の処理を制御することを特徴とする。
【発明の効果】
【００１６】
本発明によれば、画像データの出力ページ内にユーザが意図する任意の文字列を付加して付加価値が高く、表現力に富んだ出力結果を得ることができるという効果を奏する。このように、付加情報出力機能の更なる拡張が図れる。更に、単に付加情報出力機能を拡張するだけに留まらず、該付加情報出力機能の充実とユーザの操作性の向上の両方を両立させることが出来る。
【発明を実施するための最良の形態】
【００１７】
次に本発明を実施するための最良の形態について図面を参照して説明する。
【００１８】
＜システム構成の説明＞
〔第１実施形態〕
図１は、本発明の第１実施形態を示す画像処理装置（画像形成装置とも呼ぶ）の構成を説明するブロック図であり、例えば画像処理装置の一例として多機能周辺機器（ＭＦＰ：Ｍｕｌｔｉ−Ｆｕｎｃｔｉｏｎ  Ｐｅｒｉｐｈｅｒａｌ）の構成例に対応する。
【００１９】
尚、本形態の装置は、スキャナユニットからのジョブデータ（原稿画像データを含む）を、自装置のハードディスク等の好ましくは複数頁のデータを記憶可能なメモリユニットを介して、プリンタ部によりプリントさせるコピー機能を有する。加えて、ホストコンピュータや他の画像形成装置等の外部装置から出力されたジョブデータを該原稿画像データを、該メモリユニットを介して、プリンタ部によりプリント実行させるプリント機能、及び／又は、自装置のハードディスクのジョブデータを自装置のデータ通信ユニットにより外部装置へ転送させるネットワークスキャナ機能等を具備する。このように複数の機能を具備する複合機能型の画像形成装置を例にとり説明する。しかし、例えば、コピー機能のみを具備する画像形成装置、及び／又は、プリンタ機能のみを具備する画像形成装置など、所謂、単一機能型の画像形成装置（シングルファンクションぺリフェラルとも呼ぶ）でも良い。このように、少なくとも、後述する各種頁印字機能に関する処理を実行可能な装置であれば、如何なる構成でも良い。
【００２０】
図１において、１０１は多機能周辺機器を制御するためのコントローラであり、詳細は後述する図３に示すハードウエア構成を有している。
【００２１】
１０２はスキャナエンジンであり、コントローラ１０１によって制御されている。１０３はプリンタエンジンであり、コントローラ１０１によって制御されている。プリンタエンジン１０３はフィニッシャ１０４に接続されており、プリンタエンジン１０３から出力された複数の記録媒体（例えば紙）をまとめてステイプル処理や製本処理が可能となっている。フィニッシャ１０４もコントローラ１０１によって制御されている。
【００２２】
１０５はネットワーク（イーサネット（登録商標））インタフェースであり、コントローラ１０１に対して同インタフェースを通した双方向通信を提供している。１０６は操作部で、ＬＣＤディスプレイとキーボードから構成されており、コントローラ１０１からの情報表示を行うとともにユーザからの指示をユーザインタフェースを介してコントローラ１０１に伝える。また、Ｎｅｔｗｏｒｋ（Ｅｔｈｅｒｎｅｔ（登録商標），ＴＣＰ／ＩＰ）などのインタフェースからでも、全ての機能を使用可能である。
【００２３】
図２は、図１に示したコントローラ１０１のハードウエア構成を示す図である。
【００２４】
図２において、コントローラ１０１の内部では、ＣＰＵ２０１がバス２０９を介して、メモリ２０２，操作部１０６を構成する液晶ディスプレイ２０３及びキーボード２０４，ＲＯＭ２１０，ＤＩＳＫ２１１が接続されている。各種プログラム及びデータは、ハードディスクやフレキシブルディスク等のＤＩＳＫ２１１（記憶媒体）に記憶されており、必要に応じて順次メモリ２０２に読み出されてＣＰＵ２０１で実行される。
【００２５】
このＤＩＳＫ２１１は、ＭＦＰに着脱可能でもＭＦＰに内蔵されたものでも良い。更に、プログラムは、ネットワークを介して他のＭＦＰからダウンロードされてＤＩＳＫ２１１に記憶される構成でも良い。
【００２６】
液晶ディスプレイ２０３、キーボード２０４は図１に示す操作部１０６を構成するものであり、ＣＰＵ２０１が液晶ディスプレイ２０３にデータを書き込むことにより表示を行い、ＣＰＵ２０１がキーボード２０４からデータを読み出すことにより、ユーザからの指示を入力する。
【００２７】
また、バス２０９には、ネットワークインタフェース２０５が接続されており、図１に示すネットワークインタフェース１０５に対応する。ＣＰＵ２０１がインタフェースからデータを読み込みまたは書き込むことによりインタフェースを使用した通信を行う。
【００２８】
更に、バス２０９には、プリンタ２０６，フィニッシャ２０７，スキャナ２０８が接続されており、これらは、図１に示すプリンタ１０３，フィニッシャ１０４，スキャナ１０２に対応するものであり、ＣＰＵ２０１がこれらのエンジンに対してデータの読み書きを行うことによりプリント・スキャンなどのエンジン動作および各種ステータス取得を行う。
【００２９】
なお、プリンタ２０６，フィニッシャ２０７，スキャナ２０８は、ＭＦＰの内部ではなく、ネットワーク上にそれぞれ単体の周辺機器として存在し、それをＭＦＰのコントローラ１０１が制御しても良い。
【００３０】
また、ＣＰＵ２０１は、ＤＩＳＫ２１１に記憶されるプログラムをメモリ２０２にロードして、液晶ディスプレイ２０３上に、スキャナ２０８から読み取られてＤＩＳＫ２１１に記憶される画像データに付加する付加情報の設定に必要なユーザインタフェースを表示制御する機能を備えている。
【００３１】
さらに、本実施形態では、付加情報として、ページ情報、文字列、またはこれらの組み合わせを含み、付加情報に対する任意の書式は、前記付加情報の出力位置、前記付加情報のサイズ、前記付加情報の出力態様等を含むものである。また、上記ユーザインタフェースを介して指定される付加情報の出力態様としてページ情報の出力桁数を任意桁数で指定可能としている。
【００３２】
図３は、本発明に係る画像処理装置の外観構成を説明する図である。
【００３３】
図３において、３０１は画像入力デバイスであるスキャナ部で、原稿となる紙上の画像を照明し、ＣＣＤラインセンサを走査することで、ラスタイメージデータ（画像データ）として電気信号に変換する。
【００３４】
３０２は画像出力デバイスであるプリンタ部で、ラスタイメージデータを用紙上の画像に変換する部分である。プリント動作の起動や停止は、コントローラ１０１のＣＰＵ２０１からの指示によって開始する。
【００３５】
なお、図２に示したＣＰＵ２０１がＤＩＳＫ２１１等よりメモリ２０２に読み込む制御プログラムを実行することで、液晶ディスプレイ２０３上に表示されるページ設定用のユーザインタフェースを介して指定される付加情報の書式に従い生成される付加情報と上記画像データとをメモリ２０２上のワーク上でオーバレイ処理して得られる出力画像データをプリンタ部３０２が出力するように構成されている。
【００３６】
また、付加情報の出力位置、サイズ等は、後述するようにユーザインタフェースを介して、ユーザが任意の位置あるいはサイズを指定可能に構成されている。３０３はフィニッシャ装置で、画像形成された用紙に対してステイプル等のシート後処理を行う。
【００３７】
図４は、図１に示した操作部１０６の一例を示す平面図であり、図２と同一のものには同一の符号を付してある。
【００３８】
図４において、液晶ディスプレイ２０３は、液晶上にタッチパネルシートが貼られており、システムの操作画面およびソフトキーを表示するとともに、表示してあるキーが押されるとその位置情報をコントローラ１０１のＣＰＵ２０１に伝える。
【００３９】
スタートキー４０２は原稿画像の読み取り動作を開始する時などに用いる。スタートキー４０２の中央部には、緑と赤の２色ＬＥＤ４０３があり、その色によってスタートキー４０２が使える状態にあるかどうかを示す。ストップキー４０４は稼働中の動作を止める働きをする。
【００４０】
テンキー４０５は、数字と文字のボタン郡で構成されており、コピー部数の設定や、液晶ディスプレイ２０３の画面切り替えを指示する。
【００４１】
なお、液晶ディスプレイ２０３上には、上述したように、ＣＰＵ２０１が実行する制御プログラムにより、上記付加情報の書式設定に必要なユーザインタフェースが表示されるように制御している。
【００４２】
図５は、図３に示したスキャナ部３０１の構成を説明する概略断面図である。
【００４３】
図５において、原稿５０３上の情報は原稿読み取り装置５１９の露光部５１３に対して原稿５０３を相対的に移動させながら読み取られる。原稿５０３は原稿トレイ５０２にセットされる。
【００４４】
原稿給紙ローラ５０４は分離パッド５０５と対になっていて、原稿５０３を一枚ずつ搬送する。搬送された原稿５０３は中間ローラ５０６で装置内に送られ、大ローラ５０８と第１従動ローラ５０９によって搬送され、さらに大ローラ５０８と第２従動ローラ５１０とによって搬送される。
【００４５】
また、大ローラ５０８と第２従動ローラ５１０とで搬送された原稿５０３は、流し読み原稿ガラス５１２と原稿ガイド板５１７との間を通り、ジャンプ台５１８を経由して、大ローラ５０８と第３従動ローラ５１１とにより搬送される。大ローラ５０８と第３従動ローラ５１１とにより搬送された原稿５０３は原稿排紙ローラ対５０７により装置外に排出される。なお流し読み原稿ガラス５１２と原稿ガイド板５１７との間では原稿５０３は原稿ガイド板５１７によって流し読みガラス５１２に接触する形で搬送される。
【００４６】
原稿５０３は流し読み原稿ガラス５１２上を通過する際に、流し読み原稿ガラス５１２に接している面が露光部５１３によって露光される。その結果得られる原稿５０３からの反射光がミラーユニット５１４に伝達される。伝達された反射光はレンズ５１５を通過して集光されＣＣＤセンサ部５１６にて電気信号に変換される。
【００４７】
図６は、図３に示したプリンタ部３０２の構成を説明する概略断面図であり、例えばフルカラー画像形成装置の例に対応する。
【００４８】
図６において、感光ドラム６０１は一次帯電器６１１により特定の極性電位に帯電処理され、図示しない露光手段によって矢印６１２の位置が露光される。このようにして第一の色成分に対応した静電潜像が形成される。その後、四つある現像機６０２中の一つの現像機を使用して現像される。中間転写ベルト６０３は矢印の方向に駆動され、感光ドラム６０１上に形成された第一の色成分画像が、感光ドラム６０１と中間転写ベルト６０３の接合部分を通る過程で一次転写ローラ６１０によって形成された電界によって中間転写ベルトに転写される。
【００４９】
中間転写ベルト６０３に転写を終えた感光ドラム６０１の表面はクリーニング装置６０４によって清掃される。この処理を順次繰り返し、四色の画像を中間転写ベルトに重ね合わせて、カラー画像を形成する。単色の画像を形成する場合は一度だけ転写処理を行う。中間転写ベルト６０３に転写された画像は二次転写ローラ６０９部分でカセット６０５より給紙された用紙に印刷される。画像が印刷された用紙は定着器６０６で加熱され定着される。
【００５０】
そして、定着後、排紙口６１３まで用紙が搬送され機外に排出される。両面印刷を行う場合は、反転パス６０８をとおって用紙を循環させ、印刷処理を繰り返す。フィニッシャにより後処理を行う場合は排紙口６０７に用紙を導き、バッファパス６１４を経由してフィニッシャに用紙を搬送する。
【００５１】
図７は、図３に示したフィニシャ部３０４の構成を説明する概略断面図である。
【００５２】
図７において、バッファパス６１４より出力された用紙は、製本ユニットに受け渡される。処理内容により用紙の進行方向を変更することにより後処理を行う。
【００５３】
そして、パンチ機能が働いている場合は、パンチユニット７９０においてパンチ穴あけを行うために方向変更材７３２、７３５を制御し、パンチユニット７９０に導く。同様にステイプル機能がはたらいている場合も、ステイプルユニット７８０においてステイプルを行うために、方向変更材７３２、７３５を制御する。ステイプルユニットは、ステイプルの種類に応じたステイプルを行う。
【００５４】
また、糊付け製本が指定された場合は、方向変更材７３２、７３５を制御することにより糊付け製本を行う。
【００５５】
方向変更材７３２は、用紙を紙パス７３３に誘導するように方向を変える。ローラ７７０、７７１により搬送させる。続いて、方向変更材７３５は用紙をスタック部７３６に誘導するように方向を変更する。この処理を繰り返し、くるみ製本を行う用紙をすべてスタック部７３６に収納する。
【００５６】
続いて、くるみ製本の表紙を搬送する。方向変更材７３２を表紙パス７３４に表紙を誘導するように方向を変える。そして、表紙の搬送長で丁度半分の位置がローラ７４３とローラ７３９のくるようにローラ７４３、７３９を回転させる。
【００５７】
このときに、糊付けユニット７００を手前から奥まで移動することにより用紙束に糊付けを行う。
【００５８】
なお、糊付けユニット７００は、糊部７０１、ヒータ部７０２、センサ部７０３から構成されており、固形の糊をヒータ部７０２であらかじめ定められた温度まで熱することにより糊付け可能としている。このときにセンサ部７０３で温度を検知し糊が予め定められた温度以上にならないように制御されている。
【００５９】
続いて、糊付けの終わった用紙束を表紙に糊付けする。糊付けユニット７００は、ローラ７３７とローラ７３８が回転することにより所定の位置に退避し、ローラ７７２が下方向に用紙束を移動するように回転する。用紙束が表紙につく位置で、ローラ７７２の回転を停止する。この状態で所定の時間放置する。以上により糊付けが行われる。このとき表紙を折るために、図示しない折材が動作し表紙を織り込む。
【００６０】
続いて、糊付けされた用紙束の端そろえを行うために、端部を裁断する位置に誘導するように部材７４２が移動する。このとき部材７７３が糊付け製本を倒すように移動する。そして位置制御部材７５２が移動することによりトリマターンテーブル７５５上の用紙束の位置を制御する。トリマターンテーブル上に積載された製本はトリマユニット７４７から出るカッタ７４８が昇降することにより端部を裁断する。
【００６１】
トリマターンテーブル７５５は、９０度、１８０度回転することにより用紙の三方を裁断することができる。裁断された製本は、位置制御部材７５２がトレイ７５７方向に移動し、ローラ７４９，７５３，７５１，７５４が回転することによりトレイ７５７に排出される。
【００６２】
図８〜図１５は、図４に示した液晶ディスプレイ２０３に表示される付加情報に対する設定画面の一例を示す図であり、図２に示したＣＰＵ２０１の表示制御により液晶ディスプレイ２０３に表示される。尚、本実施形態の液晶ディスプレイ２０３は、所謂、タッチパネル形式の操作部の例である。以下、操作部１０６にてページ印字の設定方法について説明する。尚、このように、本形態では、ＣＰＵ２０１が、図８〜図１５、及び、図２４並びに図２７を含む各種操作画面を、操作部からのユーザの指示に従い、選択的に、操作部の表示部に表示させるよう制御している。
【００６３】
なお、図８に示す表示画面は、液晶ディスプレイ２０３に表示される初期画面であり、この画面から倍率や用紙の選択が可能である。また、図８に示す画面において、応用モードボタン８０１をユーザが押下することにより、様々な機能の設定が可能になるようＣＰＵ２０１は各種ユニットを制御する。
【００６４】
そして、応用モードボタン８０１を押下後に、ＣＰＵ２０１による表示制御で画面表示が図９に示す画面表示に切り替わる。
【００６５】
図９に示す設定画面は、応用モードに対する設定画面であり、ボタンＢＴ１を押下指示することで「ページ印字」の設定画面へ、ボタンＢＴ２を押下指示することで「縮小レイアウト」の設定画面へ、ボタンＢＴ３を押下指示することで「移動」の設定画面へ、ボタンＢＴ４を押下指示することで「製本」の設定画面へ、ボタンＢＴ５を押下指示することで「ＯＨＰ中差し」の設定画面へ、ボタンＢＴ６を押下指示することで「とじ代」の設定画面へ、ボタンＢＴ７を押下指示することで「原稿混載」の設定画面へ、ボタンＢＴ８を押下指示することで「連続読込」の設定画面へ、ボタンＢＴ９を押下指示することで「長尺原稿」の設定画面へ、それぞれ表示画面が切り替わる。
【００６６】
図１０に示す設定画面は、図９に示すボタンＢＴ１がユーザにより押下指示された場合に、ＣＰＵ２０１が液晶ディスプレイ２０３に表示させる「ページ印字」の設定画面である。
【００６７】
図１０において、ページ印字種類を設定するボタンとして、「数字のみ」を設定するボタン８０２−１、「ハイフン付き数字」を設定するボタン８０２−２、「章付き数字」を設定するボタン８０２−３、「総ページ数付き数字」を設定するボタン８０２−４を選択することができるように構成されている。なお、現在、「数字のみ」が選択されている状態を示しており、ボタン８０２−１がユーザインタフェースとして、例えば青色で表示される。
【００６８】
また、印刷向き設定ボタンとして、ページ印字で付加する文字の向きを設定するボタンであり、「縦」ボタン８０３−１と、「横」ボタン８０３−２の設定が可能である。
【００６９】
さらに、印字位置設定ボタンとして、ページ印字の印字位置を設定するボタンが各矢印の向きに従って、「左上」ボタン８０４−１、「上」ボタン８０４−２、「右上」ボタン８０４−３、「左下」ボタン８０４−４、「下」ボタン８０４−５、「右下」ボタン８０４−６の設定が可能になっている。なお、現在、「下」ボタン８０４−５が選択されており、中央に印字位置の出力イメージ８０５が表示される。
【００７０】
また、設定取消ボタン８０６は設定を取り消したいときに押下する。戻るボタン８０７は画面を一つ前に戻す場合に押下する。そして、設定が終了したら次へボタン８０８を押下する。ページ印字種類設定で「章付き数字」が選択されている場合は、後述する図２４に示す画像が表示され、章の変わり目となるページ数を入力する。
【００７１】
次へボタン８０８を押下すると、操作部１０６上には、図１１に示す開始数字の設定画面がＣＰＵ２０１の表示制御で表示される。
【００７２】
図１１において、図４に示したテンキー４０５を使用して開始番号の設定を、カラム８０９に入力する。この画面上では開始番号の他に桁数表示設定のためのチェックボタン８１０および文字列の付加設定チェックボタン８１２が用意されている。チェックボタン８１０，８１２は文字列の付加を行う場合にマークされる。設定取消ボタン８１３は設定を取り消したいときに押下する。戻るボタン８１４は画面を一つ前に戻す場合に押下する。設定が終了したら次へボタン８１５を押下する。
【００７３】
この図１１の操作指示部８１０及び８１１を介してユーザにより設定可能なページ印字モードにおける桁数印字機能について、指示部８０９のページ印字開始数字指定機能と合わせて、説明する。
【００７４】
例えば、図９を介してページ印字モードにより処理対象となるプリントジョブが、画像Ａ、画像Ｂ、画像Ｃという、３ページからなる一連の原稿画像データであるとする。この状況にて、例えば、図１１の指示部８０９を介して「１」が入力されたとする。この場合、ＣＰＵ２０１は、ユーザからの印刷指示を受け付けて、印刷処理を画像形成装置に実行させるが、画像Ａを印字すべき１枚目の記録紙の一方の面（例えば、表面）に、該画像Ａと共に、ページ印刷開始番号でもあるページ番号として「１」を、図１０の設定画面を介してユーザ設定されたページ番号印字位置に、印字するよう、メモリやプリンタ部を制御する。次いで、画像Ａの後続ページである画像Ｂを印刷すべき２枚目の記録紙の一方の面に、該画像Ｂと共に、ページ番号として「２」をユーザにより設定された上記ページ印字個所に印字するよう制御する。次いで、画像Ｂの後続ページである画像Ｃを印刷すべき３枚目の記録紙の一方の面に、該画像Ｃと共に、ページ番号として「３」をユーザにより設定された上記ページ印字個所に印字するよう制御する。このような一連のプリント動作を、図１１の設定画面の指示部８０９にて「１」がユーザにより設定された場合に本画像形成装置により実行するようＣＰＵ２０１を制御する。
【００７５】
一方、例えば、図１１の指示部８０９を介して「３」が入力されたとする。この場合、ＣＰＵ２０１は、ユーザからの印刷指示を受け付けて、印刷処理を画像形成装置に実行させるが、画像Ａを印字すべき１枚目の記録紙の一方の面（例えば、表面）に、該画像Ａと共に、ページ印刷開始番号に相当するページ番号として「３」を、図１０の設定画面を介してユーザ設定されたページ番号印字位置に、印字するよう、メモリやプリンタ部を制御する。次いで、画像Ａの後続ページである画像Ｂを印刷すべき２枚目の記録紙の一方の面に、該画像Ｂと共に、ページ番号として「４」をユーザにより設定された上記ページ印字個所に印字するよう制御する。
【００７６】
次いで、画像Ｂの後続ページである画像Ｃを印刷すべき３枚目の記録紙の一方の面に、該画像Ｃと共に、ページ番号として「５」をユーザにより設定された上記ページ印字個所に印字するよう制御する。このような一連のプリント動作を、図１１の設定画面の指示部８０９にて「３」がユーザにより設定された場合に本画像形成装置により実行するようＣＰＵ２０１を制御する。
【００７７】
以上のように、本実施形態の画像形成装置は、一連の原稿画像データに付与するページ番号に関して、付与するページ番号の印字開始番号をユーザにより任意に設定可能にすることで、付加情報印字機能に柔軟性及び拡張性を持たせつつ、ユーザの使い勝手を向上させるように構成されている。
【００７８】
そして、更に、本実施形態の画像形成装置は、付加情報印字機能を更に充実させるべく以下のような構成を、ユーザの使い勝手に配慮しながら、搭載している。
【００７９】
本画像形成装置は、ページ印刷モードにおいて、付加情報として原稿画像と共に記録紙に印字するページ番号に関し、ユーザが所望の桁数を印刷結果に反映させるようにユーザが図１１の指示部８１０，８１１を介して設定可能に構成されている。
【００８０】
例えば、先の例を引き継いで説明する。
【００８１】
上述の処理対象となる画像Ａ，Ｂ，Ｃの計３ページの画像データからなる一連の原稿画像データのページ印字設定として、図１１の操作画面上の指示部８０９を介して「１」を設定し、且つ、図１１の操作画面の指示部８１０にて「桁数を表示する」指示がユーザにより入力されなかった場合に、ＣＰＵ２０１は、該ユーザからの設定に基づき、ページ番号にて桁数を印字することを禁止してページ番号を上記ジョブの各原稿画像データに付与するよう制御する。
【００８２】
即ち、１枚目の記録紙に原稿画像Ａと共にページ番号として「１」という付加情報画像を印字し、次いで、２枚目の記録紙に原稿画像Ｂと共にページ番号として「２」という付加情報画像を印字し、次いで、３枚目の記録紙に原稿画像Ｃと共にページ番号として「３」という付加情報画像を印字するよう、一連のプリント処理を、本画像形成装置に実行させるようＣＰＵ２０１により制御する。
【００８３】
一方、上述の処理対象となる画像Ａ，Ｂ，Ｃの計３ページの画像データからなる一連の原稿画像データのページ印字設定として、図１１の操作画面上の指示部８０９を介して「１」を設定し、且つ、図１１の操作画面の指示部８１０にて「桁数を表示する」指示が入力され、且つ、表現する桁数として指示部８１１にて「３」がユーザにより設定された場合、ＣＰＵ２０１は、該ユーザからの設定に基づき、ページ番号にて桁数を印字することを許可し、具体的に、ユーザが指定した３桁表記でページ番号を上記ジョブの各原稿画像データに付与するよう制御する。
【００８４】
即ち、１枚目の記録紙に原稿画像Ａと共に桁数表記形式のページ番号として「００１」という付加情報画像を印字し、次いで、２枚目の記録紙に原稿画像Ｂと共に桁数表記形式ページ番号として「００２」という付加情報画像を印字し、次いで、３枚目の記録紙に原稿画像Ｃと共に桁数表記形式のページ番号として「００３」という付加情報画像を印字するよう、一連のプリント処理を、本画像形成装置に実行させるようＣＰＵ２０１により制御する。
【００８５】
このように、ページ番号として印字するデータの表現方法を、ページ番号のみで表現する（例えば、Ｎページ目の原稿画像に付与するページ画像として「Ｎ」を印字する）と、桁数を反映したページ番号で印字する（例えば、Ｎページ目の原稿画像に付与するページ画像として「００Ｎ」を印字する）とを、ユーザが選択可能に構成している。
【００８６】
尚、図１１の操作画面上の指示部８１０にて「桁数を表示する」指示をユーザが入力した場合、ページ番号の桁数自体を、同画面の指示部８１１を介して該ユーザにより設定可能に構成している。
【００８７】
即ち、上記例では、指示部８１０を介して「３」がユーザにより設定されたことを受け、ＣＰＵ２０１は、上記処理対象となるジョブの画像Ａ、画像Ｂ、画像Ｃの各画像を形成する各記録紙上に、夫々、桁数表記形式のページ番号画像として、「００１」，「００２」，「００３」を、印字するよう画像形成装置を制御した。
【００８８】
これに対して、指示部８１０にて「５」がユーザにより設定された場合には、これを受け、ＣＰＵ２０１は、最初に、１枚目の記録紙に上記処理対象となるジョブの原稿画像Ａと共に５桁数表記形式のページ番号画像として「００００１」を印字するよう制御し、次いで、２枚目の記録紙に上記処理対象となるジョブの原稿画像Ｂと共に５桁数表記形式のページ番号画像として「００００２」を印字するよう制御し、次いで、３枚目の記録紙に上記処理対象となるジョブの原稿画像Ｂと共に５桁数表記形式のページ番号画像として「００００３」を印字するよう制御する。尚、指示部８１１にセットする値は、操作部のテンキー４０５から入力する。
【００８９】
以上のように、ページ番号を印字する上で、「桁数を反映してページ番号を印字する」、「桁数を反映せずにページ番号を印字する」を、ユーザにより選択可能に構成し、且つ、「桁数を反映してページ番号を印字する」設定がユーザによりなされた場合に、該ユーザにより何桁でページ番号を表現するか、その桁数を、操作部を介して設定可能に構成している。
【００９０】
このように、構成することで、付加情報印字機能を有する装置において該機能に柔軟性及び拡張性を持たせつつ、ユーザの使い勝手を向上させるという効果を格段に向上させる事が出来る。
【００９１】
尚、本実施形態は、指示部８１０の指示により「桁数を反映してページ番号を印字する」設定がユーザによりなされた場合に、ユーザが指定可能な桁数として、１桁以上の任意の桁数（上記のように、３桁でも、５桁でも良い）を設定可能に構成しても良い。
【００９２】
又、本実施形態は、例えば、「１桁以上〜５桁以内」等、ユーザにより設定可能な桁数を、予め定められた範囲内で、設定可能にするようＣＰＵ２０１により制御しても良い。例えば、予め規定した桁数の範囲が例えば、「１桁から５桁まで」である場合において、図１１の画面の指示部８１１を介して６桁以上の桁数がユーザにより入力された場合、ＣＰＵ２０１は、該ユーザの設定を受付ず、該ユーザにより指定された桁数でのページ番号印字の実行を禁止するよう画像形成装置を制御する。
【００９３】
尚、このような構成の場合に、例えば、図１１の画面上の指示部８１１の上方近傍個所に「１〜５桁」まで等のガイダンス情報を表示するように構成したり、例えば、６桁以上がテンキーで入力された場合に、その設定は、受付けない旨をユーザに通知したりするような表示制御を、上記桁数ページ印字の許可／禁止制御に合わせて実行することで、ユーザの操作性を更に向上させるように構成しても良い。
【００９４】
尚、これらの構成も、ユーザメリットを配慮した上での仕様なので、必ずしも必須の構成要件でなくても、良い。
【００９５】
又、本実施形態は、上記付加情報出力機能の更なる充実化を図るべく、次のような構成を更に具備している。
【００９６】
例えば、本実施形態は、ページ番号を印字する上で章付き印字機能を具備する。例えば、図１０の操作画面においてユーザにキー８０２−３を押下した場合に、ＣＰＵ２０１はページ番号を章付き表記で印刷するよう制御する。この機能は、例えば、印刷対象のデータがユーザマニュアルやガイドライン等の印刷物に好適である。
【００９７】
例えば、上記ジョブが、画像Ａ、画像Ｂ、画像Ｃ、を有し、更に、画像Ｄ、画像Ｅ、画像Ｆを有する合計６ページからなる一連の原稿画像データとし、画像Ａ、画像Ｂ、画像Ｃが該データの第一章のコンテンツに相当し、画像Ｃ、画像Ｅ、画像Ｆが、第二章のコンテンツであるとする。
【００９８】
このような場合に、例えば、ＣＰＵ２０１は、画像Ａを印字する1枚目の記録紙に章付き形式のページ番号表記により「１−１」という付加画像を印字するよう制御し、次いで、画像Ｂを印字する２枚目の記録紙に章付き形式のページ番号表記により「１−２」という付加画像を印字するよう制御し、次いで、画像Ｃを印字する３枚目の記録紙に章付き形式のページ番号表記により「１−３」という付加画像を印字するよう制御する。そして、更に、画像Ｄを印字する４枚目の記録紙には、章付き形式のページ番号表記により「２−１」という付加画像を印字するよう制御し、次いで、画像Ｅを印字する５枚目の記録紙に章付き形式のページ番号表記により「２−２」という付加画像を印字するよう制御し、次いで、画像Ｆを印字する６枚目の記録紙に章付き形式のページ番号表記により「２−３」という付加画像を印字するよう制御する。このような章付き印字機能の実行可否の選択を、図１０の画面のキー８０２−３を介してユーザにより実行可能に構成している。
【００９９】
そして、本形態は、上記効果を更に向上させるべく、この章付き印字機能と、上述した図１１の画面の指示部８１０を介して指示可能な桁数表記機能とを連動されることが出来るようにＣＰＵ２０１により制御している。
【０１００】
例えば、図１０の画面のキー８０２−３を介して章付き機能の実行指示がユーザによりなされ、且つ、図１１の画面のキー８１０を介して「桁数を表示する」指示がなされ、且つ、図１１の画面のキー８１１を介してページ番号表記の桁数として「３」が入力されたとする。尚、処理対象となるジョブは上記画像Ａ〜画像Ｆからなる計６ページの一連のジョブデータである例を用いる。
【０１０１】
このようなユーザの設定がなされた場合に、該ユーザ設定に従い、例えば、ＣＰＵ２０１は、画像Ａを印字する1枚目の記録紙に、章付きで且つ桁数表記付きの表現方法のページ番号として、「００１−００１」という付加画像を印字するよう制御し、次いで、画像Ｂを印字する２枚目の記録紙に、章付きで且つ桁数表記付きの表現方法のページ番号として、「００１−００２」という付加画像を印字するよう制御し、次いで、画像Ｃを印字する３枚目の記録紙に、章付きで且つ桁数表記付きの表現方法のページ番号として、「００１−００３」という付加画像を印字するように画像形成装置を制御する。そして更に、画像Ｄを印字する４枚目の記録紙には、章付きで且つ桁数表記付きの表現方法のページ番号として、「００２−００１」という付加画像を印字するよう制御し、次いで、画像Ｅを印字する５枚目の記録紙に、章付きで且つ桁数表記付きの表現方法のページ番号として、「００２−００２」という付加画像を印字するよう制御し、次いで、画像Ｆを印字する６枚目の記録紙には、章付きで且つ桁数表記付きの表現方法のページ番号として、「００２−００３」という付加画像を印字するよう画像形成装置を制御する。
【０１０２】
このように、章付きで且つ桁数表記の表現方法でのページ印字機能を実行可能にし、その設定を、図１０の操作画面及び図１１の操作画面等を介してユーザにより実行可能に構成している。
【０１０３】
又、本実施形態における画像形成装置において、上述の章付きで且つ桁数表記の表現方法でのページ印字機能を実行する場合において、後述するように、章の桁数と、頁の桁数を、個別に独立して設定可能にＣＰＵ２０１により制御する。
【０１０４】
例えば、図１０の操作画面を一部カスタマイズした操作画面を液晶ディスプレイ２０３に表示させ、章の桁数と頁の桁数を個別にユーザにより設定可能にする。例えば、上記例を用いると、章の桁数を「３」とし、頁の桁数を「５」とすると、上記ジョブの各画像データＡ〜Ｆを印字する６枚の記録紙には、それぞれ、「００１−００００１」、「００１−００００２」、「００１−００００３」、「００２−００００１」、「００２−００００２」、「００２−００００３」、という章付きで且つ桁数表記の表現方法でのページ印字処理を実行するよう画像形成装置を制御する。このように章番号とページ番号とで独立して桁数をユーザにより設定可能にすることで、付加情報出力機能の柔軟性を向上させる事が出来る。
【０１０５】
又、次のような構成でも良い。例えば、章付きで且つ桁数表記の表現方法でのページ印字機能を実行する場合に、図１１の画面を表示させる。そして、図１１の画面の指示部８１１で設定された桁数を、章番号にも、ページ番号にも、共通の設定として、頁印字処理を実行するようＣＰＵ２０１により画像形成装置を制御する。
【０１０６】
例えば、図１１の指示部８１１にて桁数として「２」が設定された場合に、ＣＰＵ２０１は、上記６頁からなる一連のジョブデータの各画像Ａ〜Ｆを印字する６枚の記録紙に付与するページ番号として、各記録紙毎に、「０１−０１」、「０１−０２」、「０１−０３」、「０２−０１」、「０２−０２」、「０２−０３」、という章付きで且つ桁数表記の表現方法でのページ印字処理を実行するよう画像形成装置を制御する。
【０１０７】
このように章番号とページ番号とを共通の桁数でユーザにより設定可能にすることで、付加情報出力機能のユーザの操作性を向上させる事が出来る。
【０１０８】
尚、本実施形態は、これら二種類の方法のうちの、何れか一方のみを具備する画像形成装置、及び／又は、両方を具備する画像形成装置であっても良い。いずれにしても、付加情報出力機能の充実化を図れる構成であれば良い。
【０１０９】
又、本実施形態は、上記効果を更に向上させるべく次のような構成をも具備する。
【０１１０】
図１０の設定画面のキー８０２−４を介してユーザによりページ番号を印字する上で、処理対象となる一連のジョブデータ（上述例の場合、画像Ａ〜Ｆの６頁のジョブ）の総ページ数を合わせて印字させる指示を入力可能に構成している。
【０１１１】
例えば、上記ジョブの場合を例に取ると、ユーザにより図１０の画面のキー８０２を介して総頁付きページ番号印字指示が入力された場合、ＣＰＵ２０１は、上記画像Ａ〜画像Ｆからなる一連のジョブデータの画像Ａを印字する１枚目の記録紙に総頁付き形式のページ番号として「１／６」、画像Ｂを印字する２枚目の記録紙に総頁付き形式のページ番号として「２／６」、画像Ｃを印字する３枚目の記録紙に総頁付き形式のページ番号として「３／６」、画像Ｄを印字する４枚目の記録紙に総頁付き形式のページ番号として「４／６」、画像Ｅを印字する５枚目の記録紙に総頁付き形式のページ番号として「５／６」、画像Ｆを印字する１枚目の記録紙に総頁付き形式のページ番号として「６／６」、を、それぞれ、印字するようＣＰＵ２０１により制御する。
【０１１２】
ここで、ユーザが上記６ページからなるジョブデータに対して上記の如く「総ページ付きページ番号を印字する」指示を、図１０のキー８０２−４を介して実行した上で、更に、上記図１１の指示部８１０を介して、ユーザが「桁数を表示をする」を設定し、且つ、指示部８１１で桁数として「２」を設定した場合に、ＣＰＵ２０１は、次のように当該ジョブデータを処理するよう制御する。
【０１１３】
例えば、上記画像Ａ〜画像Ｆからなる一連のジョブデータの画像Ａを印字する１枚目の記録紙に総頁付き且つ桁数付きの表現形式のページ番号として「０１／０６」、画像Ｂを印字する２枚目の記録紙に総頁付き且つ桁数付きの表現形式のページ番号として「０２／０６」、画像Ｃを印字する３枚目の記録紙に総頁付き且つ桁数付きの表現形式のページ番号として「０３／０６」、同様に、画像Ｄを印字する４枚目の記録紙に総頁付き且つ桁数付きの表現形式のページ番号として「０４／０６」、画像Ｅを印字する５枚目の記録紙に総頁付き且つ桁数付きの表現形式のページ番号として「０５／０６」、画像Ｆを印字する１枚目の記録紙に総頁付き且つ桁数付きの表現形式のページ番号として「０６／０６」、を、それぞれ、印字するようＣＰＵ２０１により制御する。
【０１１４】
このように、ページ印字モードにおいて桁数表示機能と総ページ印字機能とを連動させることで、付加情報出力機能の柔軟性が更に向上する。
【０１１５】
又、本実施形態は、次のように構成しても良い。例えば、総ページ印字機能と桁数表記機能の両方を印刷条件としてユーザにより設定可能にした場合、例えば、ユーザの設定如何によっては、「００００００００１／００００００００６」等のように記録紙上の付加情報が目立ちすぎる可能性があるやもしれない。このように、これらの両方を実行することで、ユーザがイメージする出力結果とは印刷結果を出力してしまうやもしれない。
【０１１６】
そこで、ページ印字モードにおいて、図１０の操作画面のキー８０２−４を介してユーザにより総ページ付き印字機能が選択された場合には、図１１の画面上の桁数表記機能実行指示を入力する為の指示部８１０を、例えば、グレーアウト表示して、ユーザにより選択押下不可能な状態にするよう液晶ディスプレイ２０３をＣＰＵ２０１により制御する。これにより、総ページ付き印字機能が選択された場合に、上記桁数表記機能を実行することを禁止するようにＣＰＵ２０１により制御する。
【０１１７】
同様に、ページ印字モードにおいて、図１１の画面の指示部８１０を介してユーザにより桁数表記機能の実行指示が入力された場合には、例えば、図１０の操作画面上の、総ページ付き印字機能の実行指示を入力する為のキー８０２−４をグレーアウト表示になるよう制御し、ユーザにより該キー８０２−４を選択押下不可能な状態にするよう液晶ディスプレイ２０３をＣＰＵ２０１により制御する。これにより、桁数表記機能が選択された場合に、総ページ付き印字機能の実行を禁止するよう制御する。
【０１１８】
このように、総ページ付き印字機能と桁数表記機能との排他的制御を、操作部１０６でのユーザ設定に応じて、ＣＰＵ２０１により画像形成装置を制御する構成でも良い。
【０１１９】
又、例えば、ページ番号の桁数として「４」桁等の所定の桁数以上の値が、ユーザにより図１１の指示部８１１を介して設定された場合に、上記総ページ付き印字機能の実行を禁止するよう制御する一方で、例えば桁数「２」等の上記所定の桁数未満の値が、ユーザにより図１１の指示部８１１を介して設定された場合に、上記総ページ付き印字機能の実行を許可するようＣＰＵ２０１により制御する等の構成でも良い。
【０１２０】
以上のようにユーザの誤操作防止を最優先にした仕様にすることで、付加情報出力機能における操作性の向上が図れる。
【０１２１】
尚、上述した各種構成は、ユーザメリットを配慮した上での仕様であって、必ずしも必須の構成要件でなくても良い。
【０１２２】
このようにして開始数字の設定が終了し、次へボタン８１５が押下されると、チェックボタン８１２がチェックされているとＣＰＵ２０１が判別した場合は、図１２に示す付加する文字列の設定画面が操作部１０６上に表示される。
【０１２３】
図１２において、入力ボタン８１６は文字列設定を開始するためのボタンであり、この入力ボタン８１６を押下すると、操作部１０６上には、図１３に示すように文字列入力画面がＣＰＵ２０１の表示制御で表示される。
【０１２４】
図１３は、図４に示した液晶表示部に表示される文字列入力画面の一例を示す図である。
【０１２５】
図１３において、ソフトキーボード８２１を使用して任意の文字列を入力する。なお、入力をキャンセルしたい場合はキャンセルボタン８２２を押下する。また、文字列の入力が終了したらＯＫボタン８２３を押下する。
【０１２６】
そして、ＯＫボタン８２３を押下すると、図１２に示した設定画面に切り替わり、図１２に示す画面では、すでに登録してある文字列８１７を指定することも可能である。また、読込毎入力ボタン８３４は原稿の入力毎に任意の文字列を設定できるようにするものであり、このボタンが選択された場合、原稿束入力毎に文字列の設定が要求される。文字列の設定が終了したら次へボタン８２０を押下する。
【０１２７】
そして、次へボタン８２０が押下されると、図１４に示す付加する文字列位置の設定画面が操作部１０６上に表示される。
【０１２８】
図１４において、位置設定ボタン８２４を使用して位置を選択することができ、中央に印字イメージが表示される。この設定により、後述する図１６に示すように、読み込まれる画像データに付加される付加情報としての文字列の印字位置を、例えば８通りに切り替え制御することができる。
【０１２９】
そして、文字位置の設定が終了したら次へボタン８２７を押下すると、図１５に示す付加する文字列のサイズと色の設定画面が操作部１０６上に表示される。
【０１３０】
図１５において、ページ印刷する付加情報としての文字列のサイズと色を設定するが、サイズ設定ボタン８２８−１では文字サイズとして「大」を、サイズ設定ボタン８２８−２では文字サイズとして「中」を、サイズ設定ボタン８２８−３では文字サイズとして「小」の設定を行い、印字色設定ボタン８２９−１，８２９−２で色を設定して、設定が終了したらＯＫボタン８３２を押下することにより、ページ印字の一連の設定処理が終了する。
【０１３１】
図１６は、図１４に示した文字列位置の設定画面で設定可能な付加情報の出力態様例を示す図である。
【０１３２】
図１６の８種類の印刷結果は、図９の応用モード設定画面のページ印字キーＢＴ１を介して、原稿画像を印字すべき記録紙上に第1タイプの付加情報としてページ番号データを印刷させるページ印字モードが設定された場合において、該ページ番号データを記録紙に印字する際に如何なる向きで印刷させるかをユーザにより選択可能にする為の２つの選択候補(ページ番号データを縦向きで印刷させる為のキー８０３−１、及び、ページ番号データを横向きで印刷させる為のキー８０３−２)のうちのキー８０３−１を介して、ページ番号データを記録上に縦方向で印字させる為の指示がユーザにより設定された場合で且つ、図１０の設定画面のページ番号印字位置を決定するための６つの選択候補（入力原稿画像を印字すべき記録紙の左上端部の領域をページ番号データの印字個所とするキー８０４−１、記録紙の上方端部の領域をページ番号データの印字個所とするキー８０４−２、記録紙の右上端部の領域をページ番号データの印字位置とする為のキー８０４−３、記録紙の左下端部の領域をページ番号データの印字位置とする為のキー８０４−６、記録紙の下方端部の領域をページ番号データの印字位置とする為のキー８０４−５、記録紙の右下端部の領域をページ番号データの印字位置とする為のキー８０４−４）のうちの、キー８０４−５を介して、ページ番号データを記録上の下方端部に印字する設定がユーザによりなされた場合で且つ、上記第1タイプの付加情報データと共に記録紙に第２タイプの付加情報として任意の文字列データを印字するか否かをユーザにより選択する為の図１１のキー８１２を介して、文字列を付加する指示がユーザにより選択された場合で且つ、該第２付加情報として付加すべき文字列データをユーザにより設定させる為の図１３の操作画面のソフトキーボード８２１を介して、「ＡＢＣ  ＩＮＣ.」がユーザにより設定された場合における、ＣＰＵ２０１の制御により画像形成装置により印刷処理させる８種類の印刷結果例である。以上の設定は、図１６の８種類の印刷結果全てに共通する印刷設定である。
【０１３３】
図１６の８種類のうちの左上の例は、図９〜図１３の各設定画面において上述の各種印刷条件が設定され、尚且つ、図１４の操作画面において、上記第２付加情報（本形態では、ＡＢＣ  ＩＮＣ.という任意の文字列データ）の印字位置をユーザが指定する為の８種類の選択候補（左上揃えキー、中央上揃えキー、右上揃えキー、右揃えキー、右下揃えキー、中央下揃えキー、左下揃えキー、左揃えキー、の計８つの指示キー）のうちの、「左上揃えキー」を介して、上記第２タイプの付加情報（ＡＢＣ  ＩＮＣという文字列）を印字させる指示として、上述の第1タイプの付加情報であるページ番号を印字すべきシート上の所定領域（この例では、図１０の画面のキー８０４−５によりシートの下方端部が予め付加情報の印字領域として指定されている）内の左上個所を基準点に、上記第１タイプの付加情報と該第２タイプの付加情報を揃えて印字するように付加情報のレイアウト指示がユーザにより入力された場合に相当する。ＣＰＵ２０１は、このような印刷設定が全て完了した上でユーザによりが印刷開始指示が操作部を介して入力された場合に、この一連の印刷設定条件に基づいて、図１６の左上のような印刷結果をプリントアウトするよう画像形成装置を制御する。尚、この例は、入力原稿の先頭ページの印刷結果のみを示している。
【０１３４】
又、ＣＰＵ２０１は、印刷処理を実行する際に、スキャナ部等の画像データ発生源から取り込んだ原稿画像データと、上述の第２タイプの付加情報としての任意の文字列データを、ハードディスク等のメモリに格納する。又、一方で、入力した原稿画像データのページ番号を例えばページ枚数カウンタ等の情報により生成する。そして、上記ページ印刷モードにおいて処理対象となる入力原稿画像データを印刷する記録紙上に該原稿画像データのページ番号に相当するページ番号情報が印字され、且つ、該ページ番号情報を基準として左上に上記該付加情報が印刷されるように、これら３種類のデータ（入力された原稿画像データ、及び、第1付加情報としてのページ番号データ、並びに、該第1付加情報に関連付け可能な第２付加情報としての任意の文字列データ）を合成した合成データを、自装置内部の適当なメモリ（例えば、作業用ＲＡＭ）上で作成するよう制御し、該ページ番号処理済の画像データを、記録紙上に、印刷させるよう制御する。そして、複数のページからなる一連の原稿画像データの各頁毎に、付加するページ番号の値を1つ増やして、印刷処理を行う。尚、このように、メモリ上で原稿画像データとページ番号と文字列データの３つを合成した上でプリントしなくても、多重印刷方式により、これらを印刷するように構成しても良い。いずれにしても、最終的な印刷結果がユーザの所望のとする印刷結果となるならばメモリを使おうがプリンタ部のみを動作させようが如何なるレイアウト方法でも構わない。
【０１３５】
図１６の８種類のうちの中央上の例は、図９〜図１３の各設定画面において上述の各種印刷条件が設定され、尚且つ、図１４の操作画面において、上記第２付加情報（本形態では、ＡＢＣ  ＩＮＣ.という任意の文字列データ）の印字位置をユーザが指定する為の８種類の選択候補（左上揃えキー、中央上揃えキー、右上揃えキー、右揃えキー、右下揃えキー、中央下揃えキー、左下揃えキー、左揃えキー、の計８つの指示キー）のうちの、「中央上揃えキー」を介して、上記第２タイプの付加情報（ＡＢＣ  ＩＮＣという文字列）を印字させる指示として、上述の第1タイプの付加情報であるページ番号を印字すべきシート上の所定領域（この例では、図１０の画面のキー８０４−５によりシートの下方端部が予め付加情報の印字領域として指定されている）内の中央上個所を基準点に、上記第１タイプの付加情報と該第２タイプの付加情報を揃えて印字するように付加情報のレイアウト指示がユーザにより入力された場合に相当する。ＣＰＵ２０１は、このような印刷設定が全て完了した上でユーザによりが印刷開始指示が操作部を介して入力された場合に、この一連の印刷設定条件に基づいて、図１６の中央上のような印刷結果をプリントアウトするよう画像形成装置を制御する。尚、この例も、入力原稿の先頭ページの印刷結果のみを示している。
【０１３６】
図１６の８種類のうちの右上の例は、図９〜図１３の各設定画面において上述の各種印刷条件が設定され、尚且つ、図１４の操作画面において、上記第２付加情報（本形態では、ＡＢＣ  ＩＮＣ.という任意の文字列データ）の印字位置をユーザが指定する為の８種類の選択候補（左上揃えキー、中央上揃えキー、右上揃えキー、右揃えキー、右下揃えキー、中央下揃えキー、左下揃えキー、左揃えキー、の計８つの指示キー）のうちの、「右上揃えキー」を介して、上記第２タイプの付加情報（ＡＢＣ  ＩＮＣという文字列）を印字させる指示として、上述の第1タイプの付加情報であるページ番号を印字すべきシート上の所定領域（この例では、図１０の画面のキー８０４−５によりシートの下方端部が予め付加情報の印字領域として指定されている）内の右上個所を基準点に、上記第１タイプの付加情報と該第２タイプの付加情報を揃えて印字するように付加情報のレイアウト指示がユーザにより入力された場合に相当する。ＣＰＵ２０１は、このような印刷設定が全て完了した上でユーザによりが印刷開始指示が操作部を介して入力された場合に、この一連の印刷設定条件に基づいて、図１６の右上のような印刷結果をプリントアウトするよう画像形成装置を制御する。尚、この例は、入力原稿の先頭ページの印刷結果のみを示している。
【０１３７】
図１６の８種類のうちの中央右の例は、図９〜図１３の各設定画面において上述の各種印刷条件が設定され、尚且つ、図１４の操作画面において、上記第２付加情報（本形態では、ＡＢＣ  ＩＮＣ.という任意の文字列データ）の印字位置をユーザが指定する為の８種類の選択候補（左上揃えキー、中央上揃えキー、右上揃えキー、右揃えキー、右下揃えキー、中央下揃えキー、左下揃えキー、左揃えキー、の計８つの指示キー）のうちの、「右揃えキー」を介して、上記第２タイプの付加情報（ＡＢＣ  ＩＮＣという文字列）を印字させる指示として、上述の第1タイプの付加情報であるページ番号を印字すべきシート上の所定領域（この例では、図１０の画面のキー８０４−５によりシートの下方端部が予め付加情報の印字領域として指定されている）内の右個所を基準点に、上記第１タイプの付加情報と該第２タイプの付加情報を揃えて印字するように付加情報のレイアウト指示がユーザにより入力された場合に相当する。尚、ＣＰＵ２０１は、このような印刷設定が全て完了した上でユーザによりが印刷開始指示が操作部を介して入力された場合に、この一連の印刷設定条件に基づいて、図１６の右上のような印刷結果をプリントアウトするよう画像形成装置を制御する。尚、この例も、入力原稿の先頭ページの印刷結果のみを示している。
【０１３８】
図１６の８種類のうちの右下の例は、図９〜図１３の各設定画面において上述の各種印刷条件が設定され、尚且つ、図１４の操作画面において、上記第２付加情報（本形態では、ＡＢＣ  ＩＮＣ.という任意の文字列データ）の印字位置をユーザが指定する為の８種類の選択候補（左上揃えキー、中央上揃えキー、右上揃えキー、右揃えキー、右下揃えキー、中央下揃えキー、左下揃えキー、左揃えキー、の計８つの指示キー）のうちの、「右下揃えキー」を介して、上記第２タイプの付加情報（ＡＢＣ  ＩＮＣという文字列）を印字させる指示として、上述の第1タイプの付加情報であるページ番号を印字すべきシート上の所定領域（この例では、図１０の画面のキー８０４−５によりシートの下方端部が予め付加情報の印字領域として指定されている）内の右下個所を基準点に、上記第１タイプの付加情報と該第２タイプの付加情報を揃えて印字するように付加情報のレイアウト指示がユーザにより入力された場合に相当する。ＣＰＵ２０１は、このような印刷設定が全て完了した上でユーザによりが印刷開始指示が操作部を介して入力された場合に、この一連の印刷設定条件に基づいて、図１６の右下のような印刷結果をプリントアウトするよう画像形成装置を制御する。尚、この例も、入力原稿の先頭ページの印刷結果のみを示している。
【０１３９】
図１６の８種類のうちの中央下の例は、図９〜図１３の各設定画面において上述の各種印刷条件が設定され、尚且つ、図１４の操作画面において、上記第２付加情報（本形態では、ＡＢＣ  ＩＮＣ.という任意の文字列データ）の印字位置をユーザが指定する為の８種類の選択候補（左上揃えキー、中央上揃えキー、右上揃えキー、右揃えキー、右下揃えキー、中央下揃えキー、左下揃えキー、左揃えキー、の計８つの指示キー）のうちの、「中央下揃えキー」を介して、上記第２タイプの付加情報（ＡＢＣ  ＩＮＣという文字列）を印字させる指示として、上述の第1タイプの付加情報であるページ番号を印字すべきシート上の所定領域（この例では、図１０の画面のキー８０４−５によりシートの下方端部が予め付加情報の印字領域として指定されている）内の中央下個所を基準点に、上記第１タイプの付加情報と該第２タイプの付加情報を揃えて印字するように上記付加情報のレイアウト処理を実行するようユーザにより指示された場合に相当する。ＣＰＵ２０１は、このような印刷設定が全て完了した上でユーザによりが印刷開始指示が操作部を介して入力された場合に、この一連の印刷設定条件に基づいて、図１６の中央下のようなレイアウト結果をプリントアウトするように画像形成装置を制御する。尚、この例も、入力原稿の先頭ページの印刷結果のみを示している。
【０１４０】
図１６の８種類のうちの左下の例は、図９〜図１３の各設定画面において上述の各種印刷条件が設定され、尚且つ、図１４の操作画面において、上記第２付加情報（本形態では、ＡＢＣ  ＩＮＣ.という任意の文字列データ）の印字位置をユーザが指定する為の８種類の選択候補（左上揃えキー、中央上揃えキー、右上揃えキー、右揃えキー、右下揃えキー、中央下揃えキー、左下揃えキー、左揃えキー、の計８つの指示キー）のうちの、「左下揃えキー」を介して、上記第２タイプの付加情報（ＡＢＣ  ＩＮＣという文字列）を印字させる指示として、上述の第1タイプの付加情報であるページ番号を印字すべきシート上の所定領域（この例では、図１０の画面のキー８０４−５によりシートの下方端部が予め付加情報の印字領域として指定されている）内の左下個所を基準点に、上記第１タイプの付加情報と該第２タイプの付加情報を揃えて印字するように上記付加情報のレイアウト処理を実行するようユーザにより指示された場合に相当する。ＣＰＵ２０１は、このような印刷設定が全て完了した上でユーザによりが印刷開始指示が操作部を介して入力された場合に、この一連の印刷設定条件に基づいて、図１６の左下のようなレイアウト結果をプリントアウトするように画像形成装置を制御する。尚、この例も、入力原稿の先頭ページの印刷結果のみを示している。
【０１４１】
図１６の８種類のうちの左下の例は、図９〜図１３の各設定画面において上述の各種印刷条件が設定され、尚且つ、図１４の操作画面において、上記第２付加情報（本形態では、ＡＢＣ  ＩＮＣ.という任意の文字列データ）の印字位置をユーザが指定する為の８種類の選択候補（左上揃えキー、中央上揃えキー、右上揃えキー、右揃えキー、右下揃えキー、中央下揃えキー、左下揃えキー、左揃えキー、の計８つの指示キー）のうちの、「左揃えキー」を介して、上記第２タイプの付加情報（ＡＢＣ  ＩＮＣという文字列）を印字させる指示として、上述の第1タイプの付加情報であるページ番号を印字すべきシート上の所定領域（この例では、図１０の画面のキー８０４−５によりシートの下方端部が予め付加情報の印字領域として指定されている）内の左個所を基準点に、上記第１タイプの付加情報と該第２タイプの付加情報を揃えて印字するように上記付加情報のレイアウト処理を実行するようユーザにより指示された場合に相当する。ＣＰＵ２０１は、このような印刷設定が全て完了した上でユーザによりが印刷開始指示が操作部を介して入力された場合に、この一連の印刷設定条件に基づいて、図１６の中央左のようなレイアウト結果をプリントアウトするように画像形成装置を制御する。尚、この例も、入力原稿の先頭ページの印刷結果のみを示している。
【０１４２】
以上のように、本形態において、図９〜図１４の各種印刷設定画面におけるユーザからの付加情報の印字設定情報に基づいて、ＣＰＵ２０１は、原稿画像データと共に第1タイプの付加情報（本形態では、原稿画像データと共に記録紙にプリントする該原稿画像データのページ番号を示すページ番号データ）を印字するか否かの実行可否を決定する。
【０１４３】
加えて、該ＣＰＵ２０１は、該第1タイプの付加情報を印字する場合における第1タイプの付加情報の記録紙における印字位置を該ユーザ設定に基づいて決定する。
【０１４４】
加えて、該ＣＰＵ２０１は、原稿画像データ共に第１タイプの付加情報を印字するだけでなく、第２タイプの付加情報（本形態では、図１３の操作画面上のソフトキーボードにを介してユーザにより入力された任意の文字列データ）を印字するか否かの、その実行可否をも、該ユーザ設定に基づいて決定するよう制御する。尚、原稿画像データを印字する記録紙に付加すべき付加情報を第２タイプの付加情報のみとなるよう印刷動作を制御可能にする構成でも良い。又、原稿画像データ共に第２タイプの付加情報を印字する際に、該付加情報に加えて、第1タイプの付加情報を印字する/印字しないをも、ユーザにより選択可能にする構成でも良い。
【０１４５】
加えて、該ＣＰＵ２０１は、該原稿画像データに付加情報を印字する場合において、上記の如く、第１タイプの付加情報の記録紙における印字位置をユーザにより選択指定可能にするだけでなく、第２タイプの付加情報の記録紙における印字位置をもユーザにより選択指定可能にするよう、該ユーザ設定に基づき、第２タイプの付加情報の記録紙での印字位置を決定する。
【０１４６】
尚、ユーザの操作性向上を図るべく、第1タイプの付加情報の印字位置、及び、第２他プの付加情報の印字位置を、ユーザが指定する際には、それぞれ、複数の選択候補の中からユーザにより選択可能にしている。例えば、第1タイプの付加情報の印字位置は、図１０の設定画面のように、６つの選択候補の中からユーザにより所望の候補を選択可能にし、第２タイプの付加情報の印字位置は、図１０の設定画面に独立して、図１４の設定画面のような８つの選択候補の中からユーザにより所望の候補を選択可能に構成している。
【０１４７】
このように、付加情報の印字位置としてユーザにより選択可能な複数の選択候補をユーザに提示し、その候補の中から所望の候補を選択させることで、ユーザ操作の簡略化を図れ、操作性が向上する。尚且つ、第1タイプの付加情報の記録紙における印字位置をユーザにより指定可能にする為の複数の選択候補と、第２タイプの付加情報の記録紙における印字位置をユーザにより指定可能にする為の複数の選択候補とを、それぞれ、区別した状態で、管理し、それらを、ユーザが識別しやすい状態で、ユーザに提示し、それぞれ、ユーザの所望の候補を選択可能にすることで、更に操作性を向上させる事が出来る。
【０１４８】
尚、このようなユーザインタフェースはユーザメリットを考慮したうえでの仕様であるが故、かならずしも必須の構成要件としなくても良い。
【０１４９】
又、本形態では、第２タイプの付加情報の印字位置の決定方法に関し、図１０や図１６を用いて説明したように、シート上の所定の基準位置を起点に、第２タイプの付加情報を、第1タイプの付加情報と相対的に、決定する例を説明した。しかし、本形態は、これに限らない。例えば、「第1タイプの付加情報の印字位置の左上個所に第２タイプの付加情報を印字する」、「第1タイプの付加情報の印字位置の真上個所に第２タイプの付加情報を印字する」、「第1タイプの付加情報の印字位置の右上個所に第２タイプの付加情報を印字する」、「第1タイプの付加情報の印字位置の真横個所に第２タイプの付加情報を印字する」、「第1タイプの付加情報の印字位置の右下個所に第２タイプの付加情報を印字する」、「第1タイプの付加情報の印字位置の真下個所に第２タイプの付加情報を印字する」、「第1タイプの付加情報の印字位置の左下個所に第２タイプの付加情報を印字する」、「第1タイプの付加情報の印字位置の真左個所に第２タイプの付加情報を印字する」、等の、８種類の指示キーを表示部に表示させ、該キーにて選択されたユーザからの指示どおりに、原稿画像データと共に第1タイプの付加情報及び第２タイプの付加情報を記録紙上に印字するようメモリ上でレイアウト処理を実行させ、これら３種類のデータが合成されたレイアウト処理済みの画像データを記録紙上にプリントするよう制御する構成でも良い。このように第1タイプの付加情報の印字位置を基準に第２タイプの印字位置を決定する方法でも良い。
【０１５０】
このように、第1タイプの付加情報の印字位置を決定する方法、及び／又は、第２タイプの付加情報の印字位置を決定する方法は、様々な構成が考えられるが、如何なる構成であっても、第1タイプの付加情報の印字位置、及び／又は、第２タイプの付加情報の印字位置を、少なくとも、ユーザが操作部を介して指示できる構成であればよく、好ましくは、上記形態のように、複数の選択候補の中からユーザにより所望の候補を選択する構成が良い。
【０１５１】
図１７〜図２１は、本発明に係る画像処理装置における付加情報生成処理例を説明する動作説明図である。
【０１５２】
図１７に示す原稿を、図２に示したスキャナ２０８から読み込ませると、図１８に示すように、主走査方向、副走査方向に原稿画像が走査されて、図２に示したメモリ２０２上に電子データとして展開される。
【０１５３】
そして、この原稿から読み取られる画像データを印刷する場合に、すなわち、ページ印字を行う時は、この画像データに対するページ印字の位置を、図１９に示すように決定する。
【０１５４】
例えば印字位置設定ボタン８０４−１〜８０４−６のいずれかの指示、具体的に右上であればＰ１、左上であればＰ５で示されるメモリ２０２上の位置をＣＰＵ２０１が演算処理により算出し、この位置に付加情報となるページ数や文字列を配置（レイアウト展開）する。
【０１５５】
図示したように、右上と指定されても、完全に画像の右上に配置するのではなく、機器にあらかじめ設定されているマージンの分だけ内側に文字列を配置する。そのため右上のページ印字位置の座標は（ＭＡＲＧＩＮ，ＭＡＲＧＩＮ）となる。また、左上と指定された場合はメモリ２０２上の位置Ｐ５になるので（ＭＡＲＧＩＮ，ＩＭＡＧＥＡＲＥＡ＿Ｙ−ＭＡＲＧＩＮ）となる。
【０１５６】
このようにして、印字位置が決定した後に、図２０に示すページ印字用にメモリ２０２上に展開した画像データと、スキャナ２０８から取込んだ画像を合成（オーバレイ処理による合成）し、図２１に示すような出力画像データを生成して、選択される用紙にプリンタ２０６が印刷を行う。
【０１５７】
図２２は、本発明に係る画像処理装置における第１のデータ処理手順の一例を示すフローチャートであり、付加情報付き画像データ出力処理手順に対応する。なお、Ｓ１１０１〜Ｓ１１０９は各ステップを示す。また、各ステップは、ＤＩＳＫ２１１等よりメモリ２０２上にロードされる制御プログラムをＣＰＵ２０１が実行することで実現される例である。
【０１５８】
先ず、ステップＳ１１０１で、図８で説明した操作部１０６上からの設定処理を行う。設定終了後、ステップＳ１１０２で、スタートキー（コピーボタン）４０２をユーザが押下指示すると、スキャナ２０８の原稿台にセットされた複数枚の原稿に対する原稿読み込みを開始し、ステップＳ１１０３で、読み取った画像をハードディスク（ＤＩＳＫ）２１１に確保されるボックス領域（例えばユーザ認証されるシステムで、ユーザ毎に確保されるよな記憶領域であってもいいし、一括して格納するようなコモンな領域であってもよい）に格納する。
【０１５９】
そして、原稿台にセットされた原稿がなくなるとＣＰＵ２０１により判別されるまで（Ｓ１１０４）、ステップＳ１１０３、Ｓ１１０４の処理を繰り返す。
【０１６０】
そして、ステップＳ１１０４で、原稿の読み取りが終了しているとＣＰＵ２０１が判別した場合には、ステップＳ１１０５で、図２０に示した出力態様のページ印字データ（付加情報）を生成する。
【０１６１】
そして、ページ印字データの生成後、ＤＩＳＫ２１１に格納した読み取られている画像データを取り出し、ステップＳ１１０６で、メモリ２０２上でオーバレイ合成して出力すべき合成画像データを生成し、ステップＳ１１０７で、生成された合成画像データをプリンタ２０６に出力して印刷を行う。
【０１６２】
そして、ステップＳ１１０８で、読み取られている原稿枚数に対応する全ページの印刷が終了しているかどうかをＣＰＵ２０１が判別し、終了していないと判別した場合には、ステップＳ１１０５へ戻り、終了していると判別した場合には、さらに、指定されている全部数文の印刷が終了しているかどうかをＣＰＵ２０２が判別して、終了していないと判別した場合は、ステップＳ１１０５へ戻り、同様の処理を繰り返す。
【０１６３】
一方、ステップＳ１１０９で、全部数の印刷が完了しているとＣＰＵ２０２が判別した場合には、本処理を終了する。
【０１６４】
これにより、読み取られる原稿画像データにユーザ設定される任意の文字列やページ番号を含む付加情報を指定される態様で、かつ、指定される位置にレイアウトした出力結果を得ることができる。
【０１６５】
図２３は、本発明に係る画像処理装置における付加情報付き画像データ出力結果例を示す図であり、例えばユーザ入力された、任意の文字列「ＡＢＣ  ＩＮＣ．」とページ番号Ｐ１〜Ｐ４とを含む付加情報を対応する各原稿画像ＩＭＧ１〜ＩＭＧ４に合成した例である。なお、図２３に示すページ番号は、１桁の場合に対応する。
【０１６６】
〔第２実施形態〕
上記実施形態では、付加情報として、ユーザ入力されたページ番号（１桁）を組み合わせて、読み取られる原稿の画像データに合成出力する場合について説明したが、付加情報として、章情報を加えることも可能である。以下、その実施形態について説明する。
【０１６７】
図２４は、図３に示した操作部１０６に表示されるページ印字設定画面の一例を示す図であり、付加情報として、章付きで文字列を印刷するための設定画面に対応する。
【０１６８】
図２４において、ＢＴ２４−１〜ＢＴ２４−３はボタンである。
【０１６９】
本例は、図２２に示したステップＳ１１０１の設定時に、章付きを選択した場合に、ＣＰＵ２０２が操作部１０６に表示して、ユーザが任意に章付きの設定を行えるように構成されている。
【０１７０】
図２５は、本発明に係る画像処理装置における付加情報付き画像データ出力結果例を示す図であり、例えば図２４に示す章の設定画面で選択される、章情報Ｓ１〜Ｓ４を付加して原稿画像と合成出力した結果例に対応する。
【０１７１】
これにより、図２５に示すような合成出力結果を得ることができる。
【０１７２】
〔第３実施形態〕
上記実施形態では、付加情報として、ユーザ入力されたとページ番号（１桁）を組み合わせて、読み取られる原稿の画像データに合成出力する場合について説明したが、頁番号の桁数は任意とするように構成してもよい。以下、その実施形態について説明する。なお、ハード構成については、第１実施形態と同様であるのでその説明は省略する。
【０１７３】
図２６は、本発明に係る画像処理装置における第２のデータ処理手順の一例を示すフローチャートであり、付加情報付き画像データ出力処理手順に対応する。なお、Ｓ１１０１〜Ｓ１１０９、Ｓ１２０１，Ｓ１２０２は各ステップを示す。また、各ステップは、ＤＩＳＫ２１１等よりメモリ２０２上にロードされる制御プログラムをＣＰＵ２０１が実行することで実現される例である。
【０１７４】
なお、ステップＳ１１０１からステップＳ１１０９で示された処理は、図２２と同様であり、本例は、ステップＳ１１０１の設定時に、図１１に示した桁数表示設定８１０に「１」以外が設定されている場合に、ステップＳ１１０３の読み込み処理が終了した後に、指定された桁数より多く画像を読み込んでいないかをステップＳ１２０１でＣＰＵ２０２が判断する。
【０１７５】
そして、指定された桁数より多く読み込んでいると判断した場合は、ステップＳ１２０２で、例えば図２７に示す警告メッセージを操作部１０６に表示して、ユーザに対して桁数表示設定８１０へ桁数の再設定を促す。
【０１７６】
図２７は、図３に示した操作部１０６上に表示される警告メッセージの一例を示す図であり、図２６に示すステップＳ１２０１で桁数が異常であると判定された場合に、ＣＰＵ２０２の表示制御により表示される。
【０１７７】
図２７において、再設定ボタン８３３が押下された場合は、図１１に示した設定画面を操作部１０６上に表示して桁数を再設定させる。
【０１７８】
一方、そのままボタン８３４が選択された場合はそのまま処理を継続し印刷を行う。
【０１７９】
なお、再設定がなされずにジョブが継続された場合は桁数を超えた分については数字「０」埋めされない。
【０１８０】
図２８は、本発明に係る画像処理装置における付加情報付き画像データ出力結果例を示す図であり、例えば図１１に示す設定画面で選択される、桁数指定で、例えば「３」が指定されて、原稿４枚に対して、ページ番号Ｐ１１〜Ｐ１４として、３桁で、「００１」から「００４」を付加して原稿画像ＩＭＧ１〜ＩＭＧ４と合成出力した結果例に対応する。
【０１８１】
〔第４実施形態〕
上記実施形態では、付加情報として、ユーザ入力されたページ番号（１桁）を組み合わせて、読み取られる原稿の画像データに合成出力する場合について説明したが、任意桁数の頁番号とユーザ入力される任意の文字列とを組み合わせた付加情報を原稿画像データに合成して出力するように構成してもよい。以下、その実施形態について説明する。なお、ハード構成については、第１実施形態と同様であるのでその説明は省略する。
【０１８２】
図２９は、本発明に係る画像処理装置における第３のデータ処理手順の一例を示すフローチャートであり、対話モードを指定して付加情報付き画像データ出力処理手順に対応する。なお、Ｓ１１０１〜Ｓ１１０９、Ｓ１３０１、Ｓ１３０２は各ステップを示す。また、各ステップは、ＤＩＳＫ２１１等よりメモリ２０２上にロードされる制御プログラムをＣＰＵ２０１が実行することで実現される例である。ステップＳ１１０１からＳ１１０９で示された処理は、図２２と同様である。
【０１８３】
先ず、ステップＳ１１０１の設定時に図１２で示した読込毎入力ボタン８３４が設定されている場合に、フィーダや圧板からの原稿読込後、ステップＳ１３０１で、図１２に示した設定画面を操作部１０６上にＣＰＵ２０１の表示制御で表示させ、任意の文字列の入力を促す。
【０１８４】
そして、入力終了後、図示しない読込継続か終了かを選択させる画面を、ステップＳ１３０２でＣＰＵ２０１の制御で操作部１０６上に表示し、読込継続が選択されたとＣＰＵ２０１が判断した場合は、ステップＳ１１０３からの処理を繰り返す。
【０１８５】
一方、ステップＳ１３０２で、終了が選択されたとＣＰＵ２０１が判別した場合、ステップＳ１１０５からの処理を行い第１実施形態と同様の印刷を行う。
【０１８６】
図３０は、本発明に係る画像処理装置における付加情報付き画像データ出力結果例を示す図であり、例えば図１２に示す設定画面で入力される任意文字列や登録文字列の選択で選択された文字列を付加情報として原稿画像に合成出力、例えば原稿二束を使用した場合、最初の束読込終了後の文字列入力時に「鈴木」、つぎの束の読込終了時に「佐藤」と入力した場合である。
【０１８７】
以上のように各実施形態によれば、ページ印字にページ情報以外の付加情報として、任意の文字列、章、桁数の０埋め等を追加できるようにしたことで、ページ印字の表現力を向上させることが可能となる。
【０１８８】
また、桁数の０埋め指定時には原稿数が指定された桁数を超えてしまった場合には桁数の再設定を促すことで桁溢れを防止し、美しいページ印字ができるようにした。さらには、原稿束入力毎に文字列の設定を可能としたことで、そのページの担当者等を自由に設定することが可能となり、ページ印字の表現力をさらに高めることが可能となる。
【０１８９】
以下、図１３に示すメモリマップを参照して本発明に係る印刷装置で読み取り可能なデータ処理プログラムの構成について説明する。
【０１９０】
図１３は、本発明に係る印刷装置で読み取り可能な各種データ処理プログラムを格納する記憶媒体のメモリマップを説明する図である。
【０１９１】
なお、特に図示しないが、記憶媒体に記憶されるプログラム群を管理する情報、例えばバージョン情報，作成者等も記憶され、かつ、プログラム読み出し側のＯＳ等に依存する情報、例えばプログラムを識別表示するアイコン等も記憶される場合もある。
【０１９２】
さらに、各種プログラムに従属するデータも上記ディレクトリに管理されている。また、各種プログラムをコンピュータにインストールするためのプログラムや、インストールするプログラムが圧縮されている場合に、解凍するプログラム等も記憶される場合もある。
【０１９３】
本実施形態における図２２，図２６，図２９に示す機能が外部からインストールされるプログラムによって、ホストコンピュータにより遂行されていてもよい。そして、その場合、ＣＤ−ＲＯＭやフラッシュメモリやＦＤ等の記憶媒体により、あるいはネットワークを介して外部の記憶媒体から、プログラムを含む情報群を出力装置に供給される場合でも本発明は適用されるものである。
【０１９４】
以上のように、前述した実施形態の機能を実現するソフトウエアのプログラムコードを記録した記憶媒体を、システムあるいは装置に供給し、そのシステムあるいは装置のコンピュータ（またはＣＰＵやＭＰＵ）が記憶媒体に格納されたプログラムコードを読出し実行することによっても、本発明の目的が達成されることは言うまでもない。
【０１９５】
この場合、記憶媒体から読み出されたプログラムコード自体が本発明の新規な機能を実現することになり、そのプログラムコードを記憶した記憶媒体は本発明を構成することになる。
【０１９６】
従って、プログラムの機能を有していれば、オブジェクトコード、インタプリタにより実行されるプログラム、ＯＳに供給するスクリプトデータ等、プログラムの形態を問わない。
【０１９７】
プログラムを供給するための記憶媒体としては、例えばフレキシブルディスク、ハードディスク、光ディスク、光磁気ディスク、ＭＯ、ＣＤ−ＲＯＭ、ＣＤ−Ｒ、ＣＤ−ＲＷ、磁気テープ、不揮発性のメモリカード、ＲＯＭ、ＤＶＤなどを用いることができる。
【０１９８】
この場合、記憶媒体から読出されたプログラムコード自体が前述した実施形態の機能を実現することになり、そのプログラムコードを記憶した記憶媒体は本発明を構成することになる。
【０１９９】
その他、プログラムの供給方法としては、クライアントコンピュータのブラウザを用いてインターネットのホームページに接続し、該ホームページから本発明のコンピュータプログラムそのもの、もしくは、圧縮され自動インストール機能を含むファイルをハードディスク等の記録媒体にダウンロードすることによっても供給できる。また、本発明のプログラムを構成するプログラムコードを複数のファイルに分割し、それぞれのファイルを異なるホームページからダウンロードすることによっても実現可能である。つまり、本発明の機能処理をコンピュータで実現するためのプログラムファイルを複数のユーザに対してダウンロードさせるＷＷＷサーバやｆｔｐサーバ等も本発明の請求項に含まれるものである。
【０２００】
また、本発明のプログラムを暗号化してＣＤ−ＲＯＭ等の記憶媒体に格納してユーザに配布し、所定の条件をクリアしたユーザに対し、インターネットを介してホームページから暗号化を解く鍵情報をダウンロードさせ、その鍵情報を使用することにより暗号化されたプログラムを実行してコンピュータにインストールさせて実現することも可能である。
【０２０１】
また、コンピュータが読み出したプログラムコードを実行することにより、前述した実施形態の機能が実現されるだけでなく、そのプログラムコードの指示に基づき、コンピュータ上で稼働しているＯＳ（オペレーティングシステム）等が実際の処理の一部または全部を行い、その処理によって前述した実施形態の機能が実現される場合も含まれることは言うまでもない。
【０２０２】
さらに、記憶媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部または全部を行い、その処理によって前述した実施形態の機能が実現される場合も含まれることは言うまでもない。
【０２０３】
本発明は上記実施形態に限定されるものではなく、本発明の趣旨に基づき種々の変形（各実施形態の有機的な組合せを含む）が可能であり、それらを本発明の範囲から排除するものではない。例えば、その変形例を以下に説明する。
【０２０４】
本形態では、主に、スキャナ部とプリンタ部を具備する画像形成装置の操作部にてスキャナ部から入力されるジョブのデータに対して上述の各種頁印字設定を行い、該データに対して該画像形成装置の制御部が自装置のハードディスク等を用いて、上述の頁印字モードに従ったプリント動作をプリンタ部により実行させる例を説明した。しかし、例えば、該画像形成装置がネットワーク接続され、該ネットワーク等の所定のデータ通信媒体を介して、ホストコンピュータや他の画像形成装置等の外部装置とデータ通信可能なシステム構成の場合において以下のような構成を実現する。
【０２０５】
例えば、上述した各種の頁印字モードに関する機能を実現する為のプログラムを記憶したプリンタドライバをインストールしたホストコンピュータから該画像形成装置に対してプリントデータを送信させ、該画像形成装置によりプリント動作を実行させる場合、該ホストコンピュータのユーザからの指示により、該ホストコンピュータ上にてプリンタドライバを起動し、該プリンタドライバの各種印刷設定画面を介して、該ホストコンピュータのユーザにより上述のような頁印字モードの設定を印刷条件設定として実行可能にすることで、上述と同じような各種頁印刷モードでの印刷動作を該画像形成装置により実行させるようシステムを構成しても良い。即ち、例えば、図１０〜図１５及び図２４や図２７の各種頁印刷設定を介して実行可能な指示と同様の指示を設定できる印刷設定画面をホストコンピュータ上にて表示可能にし、該画面を介して、本形態の画像形成装置の操作部を介して実行可能な設定と同様の設定をホストコンピュータにおいて実行可能にする。そして、ホストコンピュータのユーザインタフェースを介して、ユーザにより各種頁印刷設定がなされ、且つ、印刷実行指示が入力された場合に、これを受け、ホストコンピュータの制御部が、例えば、ホストコンピュータのユーザの該設定に従い、ページ番号データ、及び、該ページ番号データの付加情報データ（本形態では、会社名）、及び、実際のドキュメントデータ、のこれら３種類のデータを１ページ分のデータに合成したデータを、ホストコンピュータ側にて作成し、その頁印字処理済みの画像データを、そのまま、画像形成装置に送信し、画像形成装置側では特に頁印字処理を行わずに、そのまま、ハードディスクを介して、プリンタ部によりプリントさせるような構成でも良い。尚、ホストコンピュータ側では、頁印字モードの各種指示のみを設定し、その指示を他の印刷条件(印刷部数や出力用紙サイズやステイプル等のフィニッシングの設定)と同様に印刷条件データとして、印刷すべきドキュメントデータと共に、画像形成装置へ送信し、画像形成装置側で、上述のように、ページ番号データ及び／又は付加情報データと、原稿画像データとの合成処理を、ハードディスク等のメモリユニットを用いて、実行し、該画像形成装置で頁印刷処理を実行したうえで、プリンタ部によりプリントさせるような構成でも良い。
【０２０６】
このように、最終成果物としての印刷結果が得られるならば、ページ番号データと原稿画像データとの合成処理を、ホストコンピュータ側にて実行する方法でも、画像形成装置側で実行する場合でも、いずれの構成であっても良い。
【０２０７】
本発明の様々な例と実施形態を示して説明したが、当業者であれば、本発明の趣旨と範囲は、本明細書内の特定の説明に限定されるのではなく、以下の実施態様も含まれることはいうまでもない。以下、その実施態様１〜２２について説明する。
【０２０８】
〔実施態様１〕
原稿読取り手段により読み取られる画像データを記録媒体に出力する画像処理装置であって、前記画像データと共に前記記録媒体上に画像出力する付加情報に対して任意の書式を指定する指定手段（例えば図３に示す操作部１０６の操作画面から指定処理する）と、前記指定手段により指定される任意の書式に従って前記画像データに付加する付加出力情報を生成する生成手段（例えば図２に示すＣＰＵ２０１がＤＩＳＫ２１１に記憶される制御プログラムを実行してメモリ２０２上に生成する）と、前記生成手段により生成される付加出力情報と前記画像データとを前記任意の書式に従って合成して画像出力する画像出力手段（例えば図２に示すプリンタ２０６）とを有することを特徴とする画像処理装置。
【０２０９】
これにより、画像データの出力ページ内にユーザが意図する任意の文字列を付加して付加価値が高く、表現力に富んだ出力結果を得ることができる。
【０２１０】
〔実施態様２〕
前記付加情報は、ページ情報、文字列、またはこれらの組み合わせを含むことを特徴とする実施態様１記載の画像処理装置。
【０２１１】
これにより、画像データの出力ページ内にユーザが意図する任意の文字列やページ情報を付加して付加価値が高く、表現力に富んだ出力結果を得ることができる。
【０２１２】
〔実施態様３〕
前記付加情報に対する任意の書式は、前記付加情報の出力位置、前記付加情報のサイズ、前記付加情報の出力態様等を含むことを特徴とする実施態様１記載の画像処理装置。
【０２１３】
これにより、画像データの出力ページ内にユーザが意図する任意の文字列やページ情報を付加して付加価値の高く表現力に富んだ出力結果を得ることができる。
【０２１４】
〔実施態様４〕
前記指定手段は、前記付加情報の出力態様としてページ情報の出力桁数を任意桁数で指定可能とすることを特徴とする実施態様１記載の画像処理装置。
【０２１５】
これにより、ページ情報の表現力を格段に向上できる。
【０２１６】
〔実施態様５〕
前記生成手段は、出力する画像データのページ数が指定された桁数に満たない場合に、有効ページ数で未使用となる桁に０を自動挿入して付加情報を生成することを特徴とする実施態様１記載の画像処理装置。
【０２１７】
これにより、任意桁数により表現したページ情報を付加した表現力に富んだ画像出力を得ることができる。
【０２１８】
〔実施態様６〕
前記読取り手段から読み取られる画像データのページ数が、前記指定手段により指定された桁数より多い場合に、桁数の再設定を促すユーザインタフェースを操作部に表示する表示制御手段（例えば図２に示すＣＰＵ２０１がＤＩＳＫ２１１に記憶される制御プログラムを実行して操作部に対して表示制御する）を有することを特徴とする実施態様１記載の画像処理装置。
【０２１９】
これにより、ユーザの指定操作を軽減して、誰でも簡単な操作指示で付加情報の指定処理を効率良く行うことができる。
【０２２０】
〔実施態様７〕
前記文字列は、章情報を含むことを特徴とする実施態様１記載の画像処理装置。
【０２２１】
これにより、ユーザが階層性のある文字列を画像データに付加した画像出力結果を得ることができる。
【０２２２】
〔実施態様８〕
前記文字列は、前記画像データの読み込み毎に設定可能とすることを特徴とする実施態様１記載の画像処理装置。
【０２２３】
これにより、原稿画像の内容に応じて、ユーザが付加すべき文字情報を自在にカスタマイズして、オリジナル性に富んだ画像出力を得ることができる。
【０２２４】
〔実施態様９〕
原稿読取り手段により読み取られる画像データを記録媒体に出力する画像処理装置における画像処理方法であって、前記画像データと共に前記記録媒体上に画像出力する付加情報に対して任意の書式を指定する指定ステップ（例えば図８〜図１５に示すユーザインタフェースを介して指定するステップであって、図２２に示すステップＳ１１０５の前に実行される）と、前記指定ステップにより指定される任意の書式に従って前記画像データに付加する付加出力情報を生成する生成ステップ（例えば図２２に示すステップＳ１１０５）と、前記生成ステップにより生成される付加出力情報と前記画像データとを前記任意の書式に従って合成して画像出力する画像出力ステップ（例えば図２２に示すステップＳ１１０６，Ｓ１１０７））とを有することを特徴とする画像処理方法。
【０２２５】
これにより、実施態様１と同等の効果を奏する。
【０２２６】
〔実施態様１０〕
前記付加情報は、ページ情報、文字列、またはこれらの組み合わせを含むことを特徴とする実施態様９記載の画像処理方法。
【０２２７】
これにより、実施態様２と同等の効果を奏する。
【０２２８】
〔実施態様１１〕
前記付加情報に対する任意の書式は、前記付加情報の出力位置、前記付加情報のサイズ、前記付加情報の出力態様等を含むことを特徴とする実施態様９記載の画像処理方法。
【０２２９】
これにより、実施態様３と同等の効果を奏する。
【０２３０】
〔実施態様１２〕
前記指定ステップは、前記付加情報の出力態様としてページ情報の出力桁数を任意桁数で指定可能とすることを特徴とする実施態様９記載の画像処理方法。
【０２３１】
これにより、実施態様４と同等の効果を奏する。
【０２３２】
〔実施態様１３〕
前記生成ステップは、出力する画像データのページ数が指定された桁数に満たない場合に、有効ページ数で未使用となる桁に０を自動挿入して付加情報を生成することを特徴とする実施態様９記載の画像処理方法。
【０２３３】
これにより、実施態様５と同等の効果を奏する。
【０２３４】
〔実施態様１４〕
前記読取り手段から読み取られる画像データのページ数が、前記指定手段により指定された桁数より多い場合に、桁数の再設定を促すユーザインタフェースを操作部に表示する表示制御ステップ（例えば図２２に示すステップＳ１１０５の前に実行されるステップであって、図示しない）を有することを特徴とする実施態様９記載の画像処理方法。
【０２３５】
これにより、実施態様６と同等の効果を奏する。
【０２３６】
〔実施態様１５〕
前記文字列は、章情報を含むことを特徴とする実施態様９記載の画像処理方法。
【０２３７】
これにより、実施態様７と同等の効果を奏する。
【０２３８】
〔実施態様１６〕
前記文字列は、前記画像データの読み込み毎に設定可能とすることを特徴とする実施態様９記載の画像処理方法。
【０２３９】
これにより、実施態様８と同等の効果を奏する。
【０２４０】
〔実施態様１７〕
実施態様９〜１６のいずれかに記載の画像処理方法を実行させるためのプログラムを格納したことを特徴とするコンピュータが読み取り可能な記憶媒体。
【０２４１】
これにより、実施態様９〜１６と同等の効果を奏する。
【０２４２】
〔実施態様１８〕
実施態様９〜１６のいずれかに記載の画像処理方法を実行させることを特徴とするプログラム。
【０２４３】
これにより、実施態様９〜１６と同等の効果を奏する。
【０２４４】
〔実施態様１９〕
原稿画像データと共に、第1タイプの付加情報、及び／又は、第２タイプの付加情報を、含んだデータを、生成可能な画像形成装置であって、操作部から受付けたユーザからの指示に基づき、第1タイプの付加情報、及び／又は、第２タイプの付加情報の処理を制御することを特徴とする画像形成装置。
【０２４５】
〔実施態様２０〕
原稿画像データと共に、第1タイプの付加情報、及び／又は、第２タイプの付加情報を、含んだデータを、生成可能なデータ処理方法であって、ユーザからの指示に基づき、第1タイプの付加情報、及び／又は、第２タイプの付加情報の処理を制御することを特徴とするデータ処理方法。
【０２４６】
〔実施態様２１〕
前記指示は画像形成装置の操作部、及び、該画像形成装置にデータ送信可能な外部装置の操作部を介して入力可能にすることを特徴とする請求項２１記載のデータ処理方法。
【０２４７】
〔実施態様２２〕
実施態様２０，２１のいずれかに記載の方法を実行させることを特徴とするプログラム。
【図面の簡単な説明】
【０２４８】
【図１】本発明の第１実施形態を示す画像処理装置の構成を説明するブロック図である。
【図２】図１に示したコントローラのハードウエア構成を示す図である。
【図３】本発明に係る画像処理装置の外観構成を説明する図である。
【図４】図３に示した操作部の一例を示す平面図である。
【図５】図３に示したスキャナ部の構成を説明する概略断面図である。
【図６】図３に示したプリンタ部の構成を説明する概略断面図である。
【図７】図３に示したフィニシャ部の構成を説明する概略断面図である。
【図８】図４に示した液晶ディスプレイに表示される付加情報に対する設定画面の一例を示す図である。
【図９】図４に示した液晶ディスプレイに表示される付加情報に対する設定画面の一例を示す図である。
【図１０】図４に示した液晶ディスプレイに表示される付加情報に対する設定画面の一例を示す図である。
【図１１】図４に示した液晶表示部に表示される付加情報に対する設定画面の一例を示す図である。
【図１２】図４に示した液晶表示部に表示される付加情報に対する設定画面の一例を示す図である。
【図１３】図４に示した液晶ディスプレイに表示される文字列入力画面の一例を示す図である。
【図１４】図４に示した液晶ディスプレイに表示される付加情報に対する設定画面の一例を示す図である。
【図１５】図４に示した液晶ディスプレイに表示される付加情報に対する設定画面の一例を示す図である。
【図１６】図１４に示した文字列位置の設定画面で設定可能な付加情報の出力態様例を示す図である。
【図１７】本発明に係る画像処理装置における付加情報生成処理例を説明する動作説明図である。
【図１８】本発明に係る画像処理装置における付加情報生成処理例を説明する動作説明図である。
【図１９】本発明に係る画像処理装置における付加情報生成処理例を説明する動作説明図である。
【図２０】本発明に係る画像処理装置における付加情報生成処理例を説明する動作説明図である。
【図２１】本発明に係る画像処理装置における付加情報生成処理例を説明する動作説明図である。
【図２２】本発明に係る画像処理装置における第１のデータ処理手順の一例を示すフローチャートである。
【図２３】本発明に係る画像処理装置における付加情報付き画像データ出力結果例を示す図である。
【図２４】図３に示した操作部に表示されるページ印字設定画面の一例を示す図である。
【図２５】本発明に係る画像処理装置における付加情報付き画像データ出力結果例を示す図である。
【図２６】本発明に係る画像処理装置における第２のデータ処理手順の一例を示すフローチャートである。
【図２７】図３に示した操作部上に表示される警告メッセージの一例を示す図である。
【図２８】本発明に係る画像処理装置における付加情報付き画像データ出力結果例を示す図である。
【図２９】本発明に係る画像処理装置における第３のデータ処理手順の一例を示すフローチャートである。
【図３０】本発明に係る画像処理装置における付加情報付き画像データ出力結果例を示す図である。
【図３１】本発明に係る画像処理装置で読み取り可能な各種データ処理プログラムを格納する記憶媒体のメモリマップを説明する図である。
【符号の説明】
【０２４９】
２０１  ＣＰＵ
２０２  メモリ
２０３  液晶ディスプレイ
２０４  キーボード
２０５  ネットワークインタフェース
２０６  プリンタ
２０７  フィニッシャ
２０８  スキャナ
２１０  ＲＯＭ
２１１  ＤＩＳＫ
【図１】
2006114971.tif 000003
【図２】
2006114971.tif 000004
【図３】
2006114971.tif 000005
【図４】
2006114971.tif 000006
【図５】
2006114971.tif 000007
【図６】
2006114971.tif 000008
【図７】
2006114971.tif 000009
【図８】
2006114971.tif 000010
【図９】
2006114971.tif 000011
【図１０】
2006114971.tif 000012
【図１１】
2006114971.tif 000013
【図１２】
2006114971.tif 000014
【図１３】
2006114971.tif 000015
【図１４】
2006114971.tif 000016
【図１５】
2006114971.tif 000017
【図１６】
2006114971.tif 000018
【図１７】
2006114971.tif 000019
【図１８】
2006114971.tif 000020
【図１９】
2006114971.tif 000021
【図２０】
2006114971.tif 000022
【図２１】
2006114971.tif 000023
【図２２】
2006114971.tif 000024
【図２３】
2006114971.tif 000025
【図２４】
2006114971.tif 000026
【図２５】
2006114971.tif 000027
【図２６】
2006114971.tif 000028
【図２７】
2006114971.tif 000029
【図２８】
2006114971.tif 000030
【図２９】
2006114971.tif 000031
【図３０】
2006114971.tif 000032
【図３１】
2006114971.tif 000033